(57)【要約】【課題】ジャンパ線等の裸線に絶縁カバーが取り付けてあると、アークが絶縁カバーの端部位置で固定され、アーク熱によってアークが固定した位置のジャンパ線等の裸線が溶断する等の問題があった。【解決手段】ジャンパ線等の裸線５０の外周長手方向に絶縁カバー６０を取り付けてなる架空線路において、前記絶縁カバー６０の端末部に、ジャンパ線等の裸線を流れるアークを絶縁カバー６０上に移行させるアークガイド１００を設けたことを特徴とするものである。【選択図】    図１
2004260869.tif 000002
【特許請求の範囲】
【請求項１】
裸線の外周長手方向に絶縁カバーを取り付けてなる架空線路において、前記絶縁カバーの端末部に、裸線を流れるアークを絶縁カバー上に移行させるアークガイドを設けたことを特徴とする架空線路。
【発明の詳細な説明】
【０００１】
【発明の属する技術分野】
本発明は、裸線の外周長手方向に絶縁カバーを取り付けてなる架空線路に関するものである。なお、本発明において、裸線とは、アルミ撚線、銅撚線、鋼心アルミ撚線等の外周に絶縁被覆が施されていない線をいい、架空線路とは裸線を用いて構成した架空送電線路、架空地線路、シャンパ線路等をいう。
【０００２】
【従来の技術】
図９に架空線路としてのジャンパ線路を示す。このジャンパ線路は、鉄塔アーム１０の両側に碍子連２０、２０及び引き留めクランプ３０、３０を介して引き留めた鋼心アルミ撚線４０，４０と、該引き留めた鋼心アルミ撚線４０，４０間を電気的に接続したジャンパ線５０（例えばアルミ撚線）と、該ジャンパ線５０の外周長手方向に取り付けた絶縁カバー６０とを備えている。なお図９において符号７０はシャンパ線５０の両端に取り付けられたシャンパソケット、８０は碍子連７０に取り付けられたアークホーンである。
【０００３】
上記絶縁カバー６０は、特許文献１に記載されているように、鳥害を防止するために取り付けられているものである。
すなわち、ジャンパ線１の外周長手方向に絶縁カバー２を取り付けておくことにより、烏等の大型の鳥が営巣材に用いる針金や金属性ハンガーを銜えて鉄塔アーム等に止まり、このために針金や金属性ハンガーが垂下しても、該垂下した針金や金属性ハンガーは絶縁ガバーに接触しジャンパ線には直接接触しないので、
地絡事故を防止することができるものである。
【０００４】
【特許文献１】特開平５−７４１３１号公報
【０００５】
【発明が解決しようとする課題】
しかしながら、上記構成のジャンパ線路においては、アークが走った場合に、該アークが絶縁カバーの端部位置で固定されてしまい、このためにアーク熱によってジャンパ線が損傷し、場合によっては溶断に至るという問題があった。
【０００６】
すなわち、例えば、送電線側の径間でギャロッピングやスリートジャンプが発生し、これによって相間短絡事故が生じた場合、または電線に着雪が生じて電線が垂下し、これによって地絡事故が生じた場合には、送電線およびジャンパ線に、負荷側に向かってアークが走る。
【０００７】
ジャンパ線に絶縁カバーが取り付けてあると、上記アークは絶縁カバーの端部位置で走りが阻止される。すなわちアークが固定される、このために、アーク熱によってアークが固定した位置のジャンパ線が溶断する等の問題が生じるものである。
【０００８】
なお、上記説明はジャンパ線について説明したが、裸線を用いて構成した架空送電線路、架空地線路に絶縁カバーが取り付けられている場合にも同様に該絶縁カバーの端部でアークが固定され、送電線や地線が損傷するという問題が生じるものである。
【０００９】
【課題を解決するための手段】
本発明は上記課題を解決した架空線路を提供するもので、その構成は、裸線の外周長手方向に絶縁カバーを取り付けてなる架空線路において、前記絶縁カバーの端末部に、裸線を流れるアークを絶縁カバー上に移行させるアークガイドを設けたことを特徴とするものである。
【００１０】
上記のように、絶縁カバーの端末部に、裸線を流れるアークを絶縁カバー上に移行させるアークガイドを設けておくことにより、裸線を流れるアークを、アークガイドを介して絶縁ガバー上に移行させることができる。したがって絶縁カバーの端部でアークが固定しないので、裸線の溶断等の損傷を確実に防止することができる。なお、絶縁カバーが損傷する恐れがあるが、損傷した絶縁カバーは簡単に取り替えることができるので特に問題はない。
【００１１】
【発明の実施の形態】
以下本発明の実施形態を図面を参照して詳細に説明する。
図１は本発明に係る架空線路を、ジャンパ線路に適用した場合である。
ジャンパ線路は、鉄塔アーム１０の両側に碍子連２０、２０及び引き留めクランプ３０、３０を介して引き留めた鋼心アルミ撚線４０，４０と、該引き留めた鋼心アルミ撚線４０，４０間を電気的に接続した裸線であるジャンパ線５０（例えばアルミ撚線）と、該ジャンパ線５０の外周長手方向に取り付けた絶縁カバー６０とを備えている点は従来の構成と同じである。なお図１において符号７０はシャンパ線５０の両端に取り付けられたシャンパソケット、８０は碍子連７０に取り付けられたアークホーンである。
【００１２】
絶縁カバー６０としては、図２に示すように絶縁ゴムシートをロール状に巻き付けたもの、又は図３に示すように所定幅の絶縁テープを所要長さ重ね巻きしたもの、又は図示しないが絶縁プラスチック等で円筒状に作られたもの等任意の構造のものが使用できる。
【００１３】
本発明は絶縁カバー６０の端末部に、裸線を流れるアークを絶縁カバー６０上に移行させるアークガイド１００を設けた点に特徴がある。
【００１４】
図１の実施形態においては、アークガイド１００を、ジャンパ線（裸線）５０の外周に巻き付けたアーマロッドで構成してある。すなわちジャンパ線５０の外周に巻き付けたアーマロッドの一端部を絶縁カバー６０の端末部外周に位置させてアークガイド１００を形成している。アーマロッドで構成したアークガイド１００は、絶縁カバー６０の両端末部にそれぞれ設けられている。
【００１５】
図１の実施形態においては、絶縁カバー６０の両端末部にアークガイド１００としてのアーマロッドをそれぞれ１本巻き付けたが、図４に示すように、アークガイド１００としてのアーマロッドは２本平行に並べたものを使用してもよい。なお、アークガイド１００としてアーマロッドを使用する場合は、アーマロッドの本数は１本又は３本以上であってもよくその数は特に限定するものではない。
【００１６】
絶縁カバー６０の端末部外周に位置させるアーマロッドの長さＬ（図４参照）は、１ｃｍ〜１０ｃｍ程度が好ましい。その理由は、１ｃｍ以下であるとジャンパ線が振れた際外れ易くなるという問題があり、１０ｃｍを超えると絶縁カバーの絶縁有効距離ＬＡが短くなり、鳥害を有効に防止することができなくなる恐れがあるためである。
【００１７】
図５は本発明で使用するアークガイド１００の他の実施形態を示すものである。このアークガイド１００は、絶縁カバー６０の端末部を覆う端末部覆い部１０１と絶縁カバー６０の端末部近傍に位置したジャンパ線の外周を覆うジャンパ線覆い部１０２とを備えた２つ割り型のもので、金属で形成されている。
【００１８】
このアークガイド１００は、絶縁カバー６０の端末部を覆う端末部覆い部１０１で絶縁カバー６０の端末部を覆うと共にジャンパ線覆い部１０２で絶縁カバー６０の端末部近傍に位置ジャンパ線の外周を覆うように取り付け、ボルト・ナット１２０で該位置に固定するものである。このようなアークガイド１００は、絶縁カバー６０の両端末部に取り付けて使用するものである。
【００１９】
図６は本発明で使用するアークガイド１００の他の実施形態を示すものであり、（イ）は側面図、（ロ）は正面図である。このアークガイド１００は、絶縁カバー６０の端末部を覆う端末部覆い部１０１と絶縁カバー６０の端末部近傍に位置したジャンパ線の外周を覆うジャンパ線覆い部１０２とを備えた２つ割り型のもので、金属で形成されている点は、図５に示した実施形態と同様であるが、２つ割りの一端側を蝶番結合１３０させ、他端側をボルト・ナット１２０で締め付けるように構成した点で図５に示した実施形態と相違している。このアークガイド１００も、絶縁カバー６０の両端末部に取り付けて使用するものである。
【００２０】
図７は本発明で使用するアークガイド１００の他の実施形態を示すものである。このアークガイド１００は、金属性ロッド１０６と、該金属性ロッド１０６を絶縁カバー６０の端末部に固定するバインド線の固定部材１０７とから構成されている。
【００２１】
金属性ロッド１０６は、一端側がジャンパ線５０の外周側に位置し他端側が絶縁カバー６０の端末部外周に位置しており、絶縁カバー６０の端末部外周に位置した他端側が固定部材１０７によって、絶縁カバー６０の端末部に固定されている。このアークガイド１００も、絶縁カバー６０の両端末部に取り付けて使用するものである。
【００２２】
なお、ジャンパ線５０の外周と金属性ロッド１０６の隙間ｈは、絶縁カバーの厚さ方向の耐電圧距離より小さな隙間としておくことが好ましい。
また、固定部材１０７はバインド線に限らず、金属性ロッド１０６を絶縁カバー６０の端末部外周に固定できる構造であればよく、その形状は特に限定するものではない。
更に、金属性ロッド１０６の形状も特に限定するものではなく、棒状、半円筒状、円筒状等であってもよい。
【００２３】
図８は本発明で使用するアークガイド１００の他の実施形態を示すものである。このアークガイド１００は、前記実施形態のものと同様に、金属性ロッド１０６と、該金属性ロッド１０６を絶縁カバー６０の端末部に固定するバインド線の固定部材１０７とから構成されているが、金属性ロッド１０６をジャンパ線５０側に固定した点で前記実施例と相違している。金属性ロッド１０６の絶縁カバー６０の端部外周に位置した部分には隙間ｈが開いている。このアークガイド１００も、絶縁カバー６０の両端末部に取り付けて使用するものである。
【００２４】
この実施形態にける固定部材１０７の形状や金属性ロッド１０６の形状も特に限定するものではない。
【００２５】
なお上記各実施形態においては、絶縁カバー６０の両端末部にアークガイド１００を取り付けて使用する場合について説明したが、アークが絶縁カバーの片側からのみしか流れないような線路においては、アークガイド１００を絶縁カバーの片端末部側のみに取り付けておけばよい。
【００２６】
上記のように、絶縁カバーの両端末部または片端末部にアークガイド１００を取り付けておくことにより、絶縁カバーの端部位置にアークが固定されることが無くなるので、ジャンパ線の溶断等を防止することができる。
【００２７】
すなわち、例えば、送電線側の径間でギャロッピングやスリートジャンプが発生し、これによって相間短絡事故が生じた場合には、送電線およびジャンパ線に、負荷側に向かってアークが走り、絶縁カバーの端末部まで進んだアークは、アークガイド１００によって絶縁ガバー６０上に移行し、該絶縁ガバー６０上で発弧する。このために絶縁カバー６０の端部位置にアークが固定されることが無くなるので、ジャンパ線の溶断等を防止することができる。なお、絶縁カバーが損傷する恐れがあるが、損傷した絶縁カバーは簡単に取り替えることができるので特に問題はない。
【００２８】
なお、上記実施形態の説明はジャンパ線について行ったが、本発明は裸線を用いて構成した架空送電線路、架空地線路に絶縁カバーが取り付けられている場合にも同様に適用できるものであり、この場合は送電線等に取り付けられた絶縁カバーの端末部にアークガイドを取り付けるものである。
【００２９】
【発明の効果】
以上のように、本発明に係る架空線路は、裸線の外周長手方向に取り付けた絶縁カバーの端末部に、裸線を流れるアークを絶縁カバー上に移行させるアークガイドを設けたので、裸線を流れるアークを、アークガイドを介して絶縁ガバー上に移行させることができる。したがって絶縁カバーの端部でアークが固定しないので、裸線の溶断等の損傷を確実に防止することができる。
【図面の簡単な説明】
【図１】本発明に係る架空線路の一実施形態を示す正面図。
【図２】絶縁カバーの一実施形態を示す斜視図。
【図３】絶縁カバーの他の実施形態を示す斜視図。
【図４】アークガイドの他の実施形態を示す説明図。
【図５】アークガイドの他の実施形態を示す説明図。
【図６】アークガイドの他の実施形態を示すもので（イ）は側面図、（ロ）は正面図。
【図７】アークガイドの他の実施形態を示す説明図。
【図８】アークガイドの他の実施形態を示す説明図。
【図９】従来の架空線路の一実施形態を示す正面図。
【符号の説明】
５０  ジャンパ線（裸線）
６０  絶縁カバー
１００  アークガイド
【図１】
2004260869.tif 000003
【図２】
2004260869.tif 000004
【図３】
2004260869.tif 000005
【図４】
2004260869.tif 000006
【図５】
2004260869.tif 000007
【図６】
2004260869.tif 000008
【図７】
2004260869.tif 000009
【図８】
2004260869.tif 000010
【図９】
2004260869.tif 000011